(57)【要約】【課題】  見易い表示サイズで手書き文字を表示することを可能にする表示装置を提供する。【解決手段】  表示装置（１）に、表示部（１１）と、検出部（１２）と、検出部（１２）から入力される信号に基づいて表示部（１１）を制御して手書き文字を表示させる手書き文字表示制御部（１３１）と、手書き文字の表示サイズを算出する表示サイズ算出部（１３２）と、閾値を設定する閾値設定部（１３３）と、表示サイズ算出部（１３２）によって算出された表示サイズと閾値が示す表示サイズとを比較する表示サイズ比較部（１３４）と、表示サイズ算出部（１３２）によって算出された表示サイズが閾値が示す表示サイズよりも小さいときに、手書き文字の表示サイズを大きくする指示を手書き文字表示制御部（１３１）に出力し、該手書き文字の表示サイズを大きくさせる表示変更部（１３５）と、を設ける。【選択図】      図１
2014081893.tif 000002
【特許請求の範囲】
【請求項１】
画像を表示可能な表示部と、
手書き文字の表示のために移動する物体の位置を、予め定める検出範囲内において検出し、該位置を示す信号を出力する検出部と、
前記信号が入力される制御部であって、
前記信号に基づいて前記表示部を制御して、前記予め定める検出範囲内における前記物体の軌跡によって表される手書き文字を表示させる手書き文字表示制御部と、
前記手書き文字の表示サイズを算出する表示サイズ算出部と、
予め定める表示サイズを示す閾値を設定する閾値設定部と、
前記表示サイズ算出部によって算出された表示サイズと前記閾値が示す前記予め定める表示サイズとを比較する表示サイズ比較部と、
前記表示サイズ比較部による比較の結果、前記表示サイズ算出部によって算出された表示サイズが、前記閾値が示す前記予め定める表示サイズよりも小さいときに、前記手書き文字の表示サイズを大きくする指示を前記手書き文字表示制御部に出力し、該手書き文字の表示サイズを大きくさせる表示変更部と、を含む制御部と、を備えることを特徴とする表示装置。
【請求項２】
画像を表示可能な表示部と、
手書き文字の表示のために移動する物体の位置を、予め定める検出範囲内において検出し、該位置を示す信号を出力する検出部と、
前記信号が入力される制御部であって、
前記信号に基づいて前記表示部を制御して、前記予め定める検出範囲内における前記物体の軌跡によって表される手書き文字を表示させる手書き文字表示制御部と、
前記手書き文字の表示サイズを算出する表示サイズ算出部と、
予め定める表示サイズを示す閾値を設定する閾値設定部と、
前記表示サイズ算出部によって算出された表示サイズと前記閾値が示す前記予め定める表示サイズとを比較する表示サイズ比較部と、
前記表示サイズ比較部による比較の結果、前記表示サイズ算出部によって算出された表示サイズが、前記閾値が示す前記予め定める表示サイズよりも小さいときに、警告マークまたは警告文を表示する指示を前記表示制御部に出力し、警告マークまたは警告文を表示させる表示変更部と、を含む制御部と、を備えることを特徴とする表示装置。
【請求項３】
前記表示部は、部屋内に設けられ、
前記表示部が設けられる部屋において前記表示部から最も遠い距離にいる人と該表示部との間の距離を記憶する距離記憶部を備え、
前記閾値設定部は、前記距離記憶部に記憶される距離に基づいて閾値を設定することを特徴とする請求項１または２に記載の表示装置。
【請求項４】
前記表示部は、部屋内に設けられ、
前記表示部が設けられる部屋にいる人数を記憶する人数記憶部を備え、
前記閾値設定部は、前記人数記憶部に記憶される人数に基づいて閾値を設定することを特徴とする請求項１または２に記載の表示装置。
【請求項５】
前記表示部は、部屋内に設けられ、
前記表示部が設けられる部屋の広さを記憶する部屋広さ記憶部を備え、
前記閾値設定部は、前記部屋広さ記憶部に記憶される部屋の広さに基づいて閾値を設定することを特徴とする請求項１または２に記載の表示装置。
【請求項６】
画像を表示可能な表示部と、手書き文字の表示のために移動する物体の位置を、予め定める検出範囲内において検出し、該位置を示す信号を出力する検出部と、前記信号が入力される制御部と、を備える表示装置の該制御部によって実行する表示方法であって、
前記制御部が、前記信号に基づいて前記表示部を制御して、前記予め定める検出範囲内における前記物体の軌跡によって表される手書き文字を表示させる手書き文字表示制御ステップと、
前記制御部が、前記手書き文字の表示サイズを算出する表示サイズ算出ステップと、
前記制御部が、前記表示サイズ算出ステップにおいて算出された表示サイズと予め定める閾値が示す表示サイズとを比較する表示サイズ比較ステップと、
前記表示サイズ比較ステップにおける比較の結果、前記表示サイズ算出ステップにおいて算出された表示サイズが、前記閾値が示す前記表示サイズよりも小さいときに、前記制御部が、前記手書き文字の表示サイズを大きくする表示変更ステップと、を含むことを特徴とする表示方法。
【請求項７】
画像を表示可能な表示部と、移動する物体の位置を、予め定める検出範囲内において検出し、該位置を示す信号を出力する検出部と、前記信号が入力される制御部と、を備える表示装置の該制御部に、請求項６に記載の表示方法を実行させることを特徴とする表示プログラム。
【発明の詳細な説明】
【技術分野】
【０００１】
本発明は、表示装置、表示方法、および表示プログラムに関する。
【背景技術】
【０００２】
従来から、タッチパネルにより入力を検出し、画面に手書き文字等を表示する電子ホワイトボードが広く知られている。特許文献１には、電子ホワイトボードの１つとして、画面内の指定範囲の表示内容を拡大縮小することができ、さらに、拡大縮小の際に線幅を調整することが可能な電子ホワイトボードが記載されている。
【先行技術文献】
【特許文献】
【０００３】
【特許文献１】特開２００４−２３９９９８号公報
【発明の概要】
【発明が解決しようとする課題】
【０００４】
電子ホワイトボードは、しばしば、講義や発表、プレゼンテーションの場において、複数の視聴者を対象として用いられる。特許文献１に記載の電子ホワイトボードによれば、手書き文字等を拡大縮小により適切な表示サイズに調整することで、すべての視聴者に対して見易い表示サイズで手書き文字等を表示させることが可能である。しかしながら、電子ホワイトボードを使用するユーザは、どれぐらいの表示サイズが適切であるかを把握することができず、すべての視聴者に対して見易い表示サイズで手書き文字等を表示させることが困難であった。
【０００５】
本発明は、上述した課題を解決するためのものであり、見易い表示サイズで手書き文字を表示することを可能にする表示装置、表示方法、および表示プログラムを提供することを目的とする。
【課題を解決するための手段】
【０００６】
本発明は、画像を表示可能な表示部と、
手書き文字の表示のために移動する物体の位置を、予め定める検出範囲内において検出し、該位置を示す信号を出力する検出部と、
前記信号が入力される制御部であって、
前記信号に基づいて前記表示部を制御して、前記予め定める検出範囲内における前記物体の軌跡によって表される手書き文字を表示させる手書き文字表示制御部と、
前記手書き文字の表示サイズを算出する表示サイズ算出部と、
予め定める表示サイズを示す閾値を設定する閾値設定部と、
前記表示サイズ算出部によって算出された表示サイズと前記閾値が示す前記予め定める表示サイズとを比較する表示サイズ比較部と、
前記表示サイズ比較部による比較の結果、前記表示サイズ算出部によって算出された表示サイズが、前記閾値が示す前記予め定める表示サイズよりも小さいときに、前記手書き文字の表示サイズを大きくする指示を前記手書き文字表示制御部に出力し、該手書き文字の表示サイズを大きくさせる表示変更部と、を含む制御部と、を備えることを特徴とする表示装置である。
【０００７】
また本発明において、前記表示変更部は、前記指示として、前記手書き文字の表示サイズを前記閾値が示す前記予め定める表示サイズに変更する指示を、前記手書き文字表示制御部に出力してもよい。
【０００８】
また本発明は、画像を表示可能な表示部と、
手書き文字の表示のために移動する物体の位置を、予め定める検出範囲内において検出し、該位置を示す信号を出力する検出部と、
前記信号が入力される制御部であって、
前記信号に基づいて前記表示部を制御して、前記予め定める検出範囲内における前記物体の軌跡によって表される手書き文字を表示させる手書き文字表示制御部と、
前記手書き文字の表示サイズを算出する表示サイズ算出部と、
予め定める表示サイズを示す閾値を設定する閾値設定部と、
前記表示サイズ算出部によって算出された表示サイズと前記閾値が示す前記予め定める表示サイズとを比較する表示サイズ比較部と、
前記表示サイズ比較部による比較の結果、前記表示サイズ算出部によって算出された表示サイズが、前記閾値が示す前記予め定める表示サイズよりも小さいときに、警告マークまたは警告文を表示する指示を前記表示制御部に出力し、警告マークまたは警告文を表示させる表示変更部と、を含む制御部と、を備えることを特徴とする表示装置である。
【０００９】
また本発明は、前記表示部は、部屋内に設けられ、
前記表示部が設けられる部屋において前記表示部から最も遠い距離にいる人と該表示部との間の距離を記憶する距離記憶部を備え、
前記閾値設定部は、前記距離記憶部に記憶される距離に基づいて閾値を設定することを特徴とする。
【００１０】
また本発明は、前記表示部は、部屋内に設けられ、
前記表示部が設けられる部屋にいる人数を記憶する人数記憶部を備え、
前記閾値設定部は、前記人数記憶部に記憶される人数に基づいて閾値を設定することを特徴とする。
【００１１】
また本発明は、前記表示部は、部屋内に設けられ、
前記表示部が設けられる部屋の広さを記憶する部屋広さ記憶部を備え、
前記閾値設定部は、前記部屋広さ記憶部に記憶される部屋の広さに基づいて閾値を設定することを特徴とする。
【００１２】
また本発明は、画像を表示可能な表示部と、手書き文字の表示のために移動する物体の位置を、予め定める検出範囲内において検出し、該位置を示す信号を出力する検出部と、前記信号が入力される制御部と、を備える表示装置の該制御部によって実行する表示方法であって、
前記制御部が、前記信号に基づいて前記表示部を制御して、前記予め定める検出範囲内における前記物体の軌跡によって表される手書き文字を表示させる手書き文字表示制御ステップと、
前記制御部が、前記手書き文字の表示サイズを算出する表示サイズ算出ステップと、
前記制御部が、前記表示サイズ算出ステップにおいて算出された表示サイズと予め定める閾値が示す表示サイズとを比較する表示サイズ比較ステップと、
前記表示サイズ比較ステップにおける比較の結果、前記表示サイズ算出ステップにおいて算出された表示サイズが、前記閾値が示す前記表示サイズよりも小さいときに、前記制御部が、前記手書き文字の表示サイズを大きくする表示変更ステップと、を含むことを特徴とする表示方法である。
【００１３】
また本発明としては、画像を表示可能な表示部と、手書き文字の表示のために移動する物体の位置を、予め定める検出範囲内において検出し、該位置を示す信号を出力する検出部と、前記信号が入力される制御部と、を備える表示装置の該制御部によって実行する表示方法であって、
前記制御部が、前記信号に基づいて前記表示部を制御して、前記予め定める検出範囲内における前記物体の軌跡によって表される手書き文字を表示させる手書き文字表示制御ステップと、
前記制御部が、前記手書き文字の表示サイズを算出する表示サイズ算出ステップと、
前記制御部が、前記表示サイズ算出ステップにおいて算出された表示サイズと予め定める閾値が示す表示サイズとを比較する表示サイズ比較ステップと、
前記表示サイズ比較ステップにおける比較の結果、前記表示サイズ算出ステップにおいて算出された表示サイズが、前記閾値が示す前記表示サイズよりも小さいときに、前記制御部が、警告マークまたは警告文を表示させる表示変更ステップと、を含むことを特徴とする表示方法であってもよい。
【００１４】
また本発明は、画像を表示可能な表示部と、移動する物体の位置を、予め定める検出範囲内において検出し、該位置を示す信号を出力する検出部と、前記信号が入力される制御部と、を備える表示装置の該制御部に、前記表示方法を実行させることを特徴とする表示プログラムである。
【発明の効果】
【００１５】
本発明によれば、ユーザが手書き文字を入力したとき、該手書き文字の表示サイズが閾値設定部により設定された閾値よりも小さければ、表示変更部によって、自動的に、表示サイズが拡大される。したがって、ユーザは、手書き文字が小さいか否かを判断する必要がない。よって、ユーザの恣意によらないので、見易い表示サイズで手書き文字を表示することが可能になる。
【００１６】
また本発明において、手書き文字の表示サイズが閾値設定部により設定された閾値よりも小さいときに、表示変更部によって、該閾値が示す表示サイズに、手書き文字を拡大してもよい。
【００１７】
また本発明によれば、ユーザが手書き文字を入力したとき、該手書き文字の表示サイズが閾値設定部により設定された閾値よりも小さければ、表示変更部によって、自動的に、警告マークまたは警告文が表示される。したがって、ユーザは、警告マークまたは警告文が表示された手書き文字について、表示サイズが小さいことに気づき、該手書き文字よりも大きい手書き文字を入力することが可能になる。よって、見易い表示サイズで手書き文字を表示することが可能になる。
【００１８】
また本発明によれば、表示部から最も遠い距離にいる人と該表示部との間の距離を記憶する距離記憶部に記憶される距離に基づいて、閾値設定部によって閾値が設定されるので、部屋内の視聴者数の変化や視聴者の位置の変化に対応して、見易い表示サイズを変更することが可能になる。
【００１９】
また本発明によれば、部屋にいる人数を記憶する人数記憶部に記憶される人数に基づいて、閾値設定部によって閾値が設定されるので、部屋内の視聴者数の変化や視聴者の位置の変化に対応して、見易い表示サイズを変更することが可能になる。
【００２０】
また本発明によれば、部屋の広さを記憶する部屋広さ記憶部に記憶される部屋の広さに基づいて、閾値設定部によって閾値が設定されるので、部屋内の視聴者数の変化や視聴者の位置の変化に対応して、見易い表示サイズを変更することが可能になる。
【００２１】
また本発明によれば、ユーザが手書き文字を入力したとき、該手書き文字の表示サイズが予め設定された閾値よりも小さければ、表示変更ステップにおいて、制御部によって、自動的に、表示サイズが拡大される。したがって、ユーザは、手書き文字が小さいか否かを判断する必要がない。よって、ユーザの恣意によらないので、見易い表示サイズで手書き文字を表示することが可能になる。
【００２２】
また本発明において、ユーザが手書き文字を入力したとき、該手書き文字の表示サイズが予め設定された閾値よりも小さければ、表示変更ステップにおいて、制御部によって、自動的に、警告マークまたは警告文を表示してもよい。これにより、ユーザは、警告マークまたは警告文が表示された手書き文字について、表示サイズが小さいことに気づき、該手書き文字よりも大きい手書き文字を入力することが可能になる。よって、見易い表示サイズで手書き文字を表示することが可能になる。
【００２３】
また本発明によれば、画像を表示可能な表示部と、移動する物体の位置を、予め定める検出範囲内において検出し、該位置を示す信号を出力する検出部と、前記信号が入力される制御部と、を備える表示装置の該制御部に、前記表示方法を実行させることができる。
【図面の簡単な説明】
【００２４】
【図１】表示装置１の構成を示すブロック図である。
【図２】閾値設定部１３３による閾値の設定の流れを示すフローチャートである。
【図３】表示変更部１３５による表示サイズの拡大の流れを示すフローチャートである。
【図４】表示装置１の画面における表示例を示す図である。
【発明を実施するための形態】
【００２５】
以下に、本発明に係る表示装置１について説明する。図１に、表示装置１の構成をブロック図で示す。表示装置１は、表示部１１と、検出部１２と、主制御部１３と、表示部制御部１４と、検出部制御部１５とを備える。
【００２６】
表示装置１は、たとえば、縦１００ｃｍ、横１５０ｃｍ程度の略矩形状の画面を有する電子白板（Interactive Whiteboard，ＩＷＢ）であり、タッチ操作が行われたときに、該タッチ操作に対応する図形を、画像として画面に表示するシステムである。ここで、タッチ操作とは、表示装置１の画面への接触が開始されてから接触が終了されるまでの操作である。たとえば、ユーザが、指やタッチペンなどで画面を押圧し、押圧したまま押圧箇所をスライド移動させ、指やタッチペンなどを画面から離隔させる操作である。タッチ操作に対応する図形とは、より詳細には、タッチ操作による接触箇所の軌跡によって表される図形である。たとえば、タッチ操作において接触箇所が一直線状に移動する場合、タッチ操作の軌跡を表した図形は直線である。
【００２７】
上記のようにタッチ操作に対応する図形を画像として表示する公知のシステムとしては、ＰＣ(Personal Computer)と、タッチパネル一体型ディスプレイＰＮ−Ｌ８０２Ｂ（シャープ株式会社製）などの表示装置とから構成されるシステムを挙げることができる。表示装置１は、このようなシステムに、後述する各部１３１〜１３８の機能を発揮させるためのプログラムである表示プログラムを記憶させることで実現できる。なお、表示装置１としては、後述する各部１３１〜１３８の機能を発揮するハードウェア、たとえばＩＣ（Integrated Circuit）チップを備える表示装置であってもよい。また、表示装置１は、タッチ操作可能なタブレットＰＣやペンタブレットと、該タブレットＰＣやペンタブレットからのタッチ操作に基づく情報の入力によって、画面に該タッチ操作に対応する図形を表示する表示装置とから構成されるシステムであってもよい。
【００２８】
表示部１１は、たとえば、液晶ディスプレイ、有機ＥＬ(Electroluminescence)ディスプレイ、プラズマディスプレイなどであり、画面に画像を表示する。表示部１１は、複数人の視聴者を対象として、部屋内に設けられる。なお、表示部１１は、スクリーンを画面とし、該画面に画像を投影するプロジェクタであってもよい。
【００２９】
表示部制御部１４は、表示部１１を駆動し、表示部１１の画面に画像を表示させる。表示部制御部１４には、主制御部１３から画像データが入力され、この画像データに従って、表示部制御部１４は、表示部１１の画面に画像を表示させる。
【００３０】
検出部１２は、予め定める検出範囲内における移動物体の位置を検出し、該位置を示す信号を出力する。具体的には、検出部１２は、画面に近接して設けられる、投影型静電容量方式タッチパネル、抵抗膜方式タッチパネル、赤外線遮断検出方式タッチパネルなどから構成され、画面に対するタッチ操作が行われると、タッチ操作が行われた位置、たとえばタッチ操作による接触箇所を検出し、該接触箇所を示す信号を出力する。検出部１２から出力された信号は、検出部制御部１５に入力される。なお、検出部１２としては、画面から離隔した位置で使用されるタブレットＰＣやペンタブレットであってもよい。
【００３１】
検出部制御部１５は、検出部１２を駆動する。検出部制御部１５は、検出部１２から入力された信号を、そのまま、または変換して、主制御部１３へ出力する。
【００３２】
主制御部１３は、ＣＰＵ（Central Processing Unit）などの制御演算回路、ＤＤＲ  ＳＤＲＡＭ(Double Data Rate Synchronous Dynamic Random Access Memory)などの揮発性メモリ、および、フラッシュＲＯＭ(Read Only Memory)、ＥＥＰＲＯＭ（登録商標）、ＨＤＤ(Hard Disk Drive)などの不揮発性メモリから構成され、表示部制御部１４および検出部制御部１５を介して、表示部１１および検出部１２を制御する。主制御部１３の不揮発性メモリには、本発明に係る表示プログラムが記憶され、これによって、主制御部１３は、以下の各部１３１〜１３８の機能を発揮する。
【００３３】
図１は、主制御部１３の各機能を示している。すなわち、主制御部１３は、手書き文字表示制御部１３１、表示サイズ算出部１３２、閾値設定部１３３、表示サイズ比較部１３４、表示変更部１３５、距離記憶部１３６、人数記憶部１３７、および部屋広さ記憶部１３８の機能を有する。
【００３４】
手書き文字表示制御部１３１は、検出部１２から入力された信号に基づき、表示部制御部１４を介して表示部１１を制御して、タッチ操作に対応する図形を、画像として画面に表示させる。したがって、タッチ操作が、文字を描く操作である場合には、手書き文字が画面に表示されることになり、タッチ操作が、画面上に文字以外の模様等を描く操作である場合には、文字以外の模様等が画面に表示されることになる。
【００３５】
手書き文字表示制御部１３１は、複数回のタッチ操作に対応する複数の図形を１つのグループとして互いに関連付けてグループ化する。グループ化の方法としては、従来公知の様々な方法を採ることができる。たとえば、手書き文字表示制御部１３１は、ユーザからの指示により、横書き入力モードと、縦書き入力モードとを選択可能であり、横書き入力モードにおいて、手書き文字表示制御部１３１は、あるタッチ操作の終点と、次のタッチ操作の始点との、画面横方向における距離が所定の閾値以下であれば、この２つのタッチ操作を１つのグループとみなし、後続するタッチ操作についても同様とする。また、縦書き入力モードにおいて、手書き文字表示制御部１３１は、あるタッチ操作の終点と、次のタッチ操作の始点との、画面縦方向における距離が所定の閾値以下であれば、この２つのタッチ操作を１つのグループとみなし、後続するタッチ操作についても同様とする。このようにして複数回のタッチ操作に対応する複数の図形をグループ化することにより、複数回のタッチ操作によって表示される手書き文字を、１つのグループとして扱うことが可能となる。
【００３６】
表示サイズ算出部１３２は、画面の画素数および縦横の寸法、ならびにグループ化された図形（以下、「グループ化図形」と称する）が表示されている領域に基づいて、グループ化図形の表示サイズを算出する。表示サイズは、たとえば、手書き文字表示制御部１３１が横書き入力モードである場合には、グループ化図形を囲む、画面の縦横に平行に延びる最小外接矩形の縦寸法であり、縦書き入力モードである場合には、グループ化図形を囲む、画面の縦横に平行に延びる最小外接矩形の横寸法である。表示サイズ算出部１３２は、グループ化図形の表示サイズの算出に関して、従来公知の認識技術によって文字や記号を表すグループ化図形を認識して、文字や記号を表すグループ化図形のみについて表示サイズを算出してもよいし、文字・記号以外の模様等、グループ化図形全てについて表示サイズを算出してもよい。また、表示サイズ算出部１３２は、最小外接矩形の縦横の寸法ではなく、最小外接矩形の面積を、表示サイズとして算出してもよい。
【００３７】
閾値設定部１３３は、予め定める表示サイズを示す閾値を設定する。この閾値は、表示部１１が設けられる部屋において、表示部１１の画面から最も遠い距離にいる人が認識することができる、画面上の最小の文字の表示サイズに対応する。
【００３８】
距離記憶部１３６は、表示部１１が設けられる部屋において、表示部１１の画面から最も遠い距離にいる人と該表示部１１の画面との間の距離を記憶する。閾値設定部１３３は、この距離記憶部１３６に記憶される距離に基づいて閾値を設定する。
【００３９】
たとえば、閾値設定部１３３は、以下の表１のような、距離−表示サイズ対応テーブルを記憶している。この距離−表示サイズ対応テーブルは、距離が大きくなるほど、対応する表示サイズも大きくなるようになっている。
【００４０】
【表１】
2014081893.tif 000003
【００４１】
閾値設定部１３３は、距離−表示サイズ対応テーブルと、距離記憶部１３６に記憶される距離とから閾値を設定する。たとえば、距離記憶部１３６に記憶される距離が８［ｍ］であるとき、閾値設定部１３３は、１２．０［ｃｍ］を、閾値として設定する。
【００４２】
なお、距離記憶部１３６に記憶される距離が距離−表示サイズ対応テーブルにない場合、閾値設定部１３３は、距離−表示サイズ対応テーブル中の、その距離の前後の距離と、該前後の距離に対応する表示サイズとから、閾値となる表示サイズを適宜算出して設定する。また、閾値設定部１３３は、視聴者の構成、たとえば教育機関であって視聴者の年齢や視力に通常とは異なる傾向があるのであれば、距離−表示サイズ対応テーブルを複数用意して、視聴者の構成によって切り替えてもよい。
【００４３】
距離記憶部１３６は、表示部１１の画面から最も遠い人までの距離をユーザが入力するためのキーボードや、熱量や赤外線を検知することによって、表示部１１の画面から最も遠い人までの距離を測定する測定装置が接続可能に構成される。距離記憶部１３６は、このようなキーボードや測定装置から入力された距離を記憶する。また、距離記憶部１３６は、以下に説明するように、人数記憶部１３７および部屋広さ記憶部１３８に記憶される情報に基づいて、距離を記憶してもよい。
【００４４】
人数記憶部１３７は、表示部１１が設けられる部屋にいる人数および定員数を記憶する。部屋広さ記憶部１３８は、表示部１１が設けられる部屋の広さを記憶する。人数記憶部１３７および部屋広さ記憶部１３８は、人数および定員数ならびに部屋の広さをユーザが入力するためのキーボードが接続可能に構成される。閾値設定部１３３は、人数記憶部１３７および部屋広さ記憶部１３８に記憶される人数および定員数ならびに部屋の広さから、表示部１１の画面から最も遠い人までの距離を推定し、距離記憶部１３６に記憶させる。
【００４５】
たとえば、人数が６０名、定員数が１００名、部屋の広さが１００［ｍ２］であるとする。このとき、閾値設定部１３３は、部屋の奥行きを、√１００（１００の正の平方根）＝１０［ｍ］と推定し、表示部１１の画面から最も遠い人までの距離を、１０×６０／１００＝６［ｍ］と推定する。閾値設定部１３３は、この６［ｍ］という値を、距離記憶部１３６に記憶させる。そして、閾値設定部１３３は、距離記憶部１３６に記憶された６［ｍ］という値と、距離−表示サイズ対応テーブルとから、９．０［ｃｍ］を閾値に設定する。なお、部屋広さ記憶部１３８に、部屋の広さとして、面積ではなく体積を記憶させ、閾値設定部１３３が、該体積の３乗根を、部屋の奥行きと推定してもよい。
【００４６】
このような、距離記憶部１３６や人数記憶部１３７および部屋広さ記憶部１３８に記憶される情報に基づく、閾値設定部１３３による閾値の設定の流れを、図２のフローチャートで示す。ステップＳ１では、距離記憶部１３６に、表示部１１の画面から最も遠い人までの距離を測定する測定装置が接続されているか否かを判断する。測定装置が接続されていればステップＳ３へ進み、測定装置が接続されていなければステップＳ２へ進む。
【００４７】
ステップＳ３では、測定装置によって、表示部１１の画面から最も遠い人までの距離が測定され、測定された距離が距離記憶部１３６に入力され、記憶される。ステップＳ３の後は、ステップＳ７へ進む。ステップＳ２では、ユーザによって、表示部１１の画面から最も遠い人までの距離を入力するか否かを判断する。ユーザが距離を入力する場合はステップＳ４へ進み、ユーザが距離を入力しない場合はステップＳ５へ進む。
【００４８】
ステップＳ４では、ユーザによって、表示部１１の画面から最も遠い人までの距離が、距離記憶部１３６に入力され、記憶される。ステップＳ４の後は、ステップＳ７へ進む。ステップＳ５では、ユーザによって、表示部１１が設けられる部屋にいる人数および定員数が、人数記憶部１３７に入力され、記憶される。また、ユーザによって、表示部１１が設けられる部屋の広さが、部屋広さ記憶部１３８に入力され、記憶される。ステップＳ５の後は、ステップＳ６へ進む。なお、部屋の広さの入力にあたっては、具体的な数値を入力するのではなく、大（１００［ｍ２］）、中（８０［ｍ２］）、小（６０［ｍ２］）などといった複数の選択肢から選ぶことで入力するようにしてもよい。
【００４９】
ステップＳ６では、閾値設定部１３３が、人数記憶部１３７および部屋広さ記憶部１３８に記憶される人数および定員数ならびに部屋の広さから、表示部１１の画面から最も遠い人までの距離を推定し、距離記憶部１３６に記憶させる。ステップＳ６の後は、ステップＳ７へ進む。ステップＳ７では、閾値設定部１３３が、距離−表示サイズ対応テーブルと、距離記憶部１３６に記憶される距離とから閾値を設定し、一連の処理が終了する。
【００５０】
このような一連の処理は、一定時間毎に、たとえば５分間毎に実行したり、または、部屋内の人数が変化したときに実行したりすることが好ましい。これにより、部屋内の視聴者数の変化や視聴者の位置の変化に対応することが可能になる。
【００５１】
表示サイズ比較部１３４は、表示サイズ算出部１３２によって算出された表示サイズと、閾値設定部１３３が設定した閾値が示す表示サイズとを比較する。そして、表示変更部１３５は、表示サイズ比較部１３４による比較の結果、表示サイズ算出部１３２によって算出された表示サイズが、閾値設定部１３３によって設定された閾値が示す表示サイズよりも小さいときに、手書き文字などのグループ化図形の表示サイズを大きくする指示、すなわち拡大指示を手書き文字表示制御部１３１に出力し、拡大指示が入力された手書き文字表示制御部１３１は、該グループ化図形を等方的に拡大して、表示サイズを大きくする。なお、表示変更部１３５は、表示サイズ算出部１３２によって算出された表示サイズが、閾値設定部１３３によって設定された閾値が示す表示サイズよりも小さいときに、拡大指示の代わりに、警告マークまたは警告文を表示する指示を手書き文字表示制御部１３１に出力し、警告マークまたは警告文を表示させるように構成されてもよい。警告マークは、たとえば、感嘆符であり、グループ化図形の右上に表示される。以下では、表示サイズ比較部１３４は拡大指示を出力するように構成されるものとする。
【００５２】
表示変更部１３５は、閾値以上の大きさに大きくする拡大指示であれば、どのような大きさに拡大する指示であってもよい。たとえば、表示変更部１３５は、拡大指示として、手書き文字などのグループ化図形の表示サイズを閾値設定部１３３が設定した閾値が示す表示サイズに変更する拡大指示を、手書き文字表示制御部１３１に出力する。
【００５３】
このような、表示変更部１３５による表示サイズの拡大の流れを、図３のフローチャートで示す。図３のフローチャートは、本発明の表示方法を示すものである。ステップＴ１では、タッチ操作が行われたか否かを判断する。タッチ操作が行われればステップＴ２へ進み、タッチ操作が行われなければ待機状態となる。
【００５４】
ステップＴ２では、タッチ操作を示す信号が手書き文字表示制御部１３１に入力され、該手書き文字表示制御部１３１によって、該タッチ操作に対応する図形が、画面に描画される。このステップＴ２は、本発明の表示方法における手書き文字表示制御ステップに対応する。ステップＴ２の後は、ステップＴ３へ進む。
【００５５】
ステップＴ３では、ステップＴ２で描画した図形に対応するタッチ操作が、該タッチ操作の直前のタッチ操作と同じグループとすべきものであるか否かを判断する。同じグループとすべきものである場合はステップＴ７へ進み、同じグループとすべきものでない、または、直前のタッチ操作が存在しない場合は、ステップＴ４へ進む。
【００５６】
ステップＴ４では、手書き文字表示制御部１３１が、ステップＴ２で描画した図形に対応するタッチ操作を、該タッチ操作の直前のタッチ操作と同じグループとはせずに、新たなグループであるとする。ステップＴ４の後は、ステップＴ５へ進む。
【００５７】
ステップＴ５では、ステップＴ２で描画した図形に対応するタッチ操作の直前のタッチ操作が属しているグループのグループ化図形（手書き文字）について、表示サイズ算出部１３２が、表示サイズを算出する。このステップＴ５は、本発明の表示方法における表示サイズ算出ステップに対応する。ステップＴ５の後は、ステップＴ６へ進む。なお、ステップＴ２で描画した図形に対応するタッチ操作の直前のタッチ操作が存在しない場合は、表示サイズの算出が行われずにステップＴ６へ進む。
【００５８】
ステップＴ６では、表示サイズ比較部１３４が、ステップＴ５において算出された表示サイズと、閾値設定部１３３によって予め設定されている閾値が示す表示サイズとを比較する。比較の結果は、表示サイズ比較部１３４に記憶される。ステップＴ６の後は、ステップＴ８へ進む。なお、ステップＴ２で描画した図形に対応するタッチ操作の直前のタッチ操作が存在しない場合は、表示サイズの比較が行われずにステップＴ８へ進む。
【００５９】
ステップＴ７では、手書き文字表示制御部１３１が、ステップＴ２で描画した図形に対応するタッチ操作を、該タッチ操作の直前のタッチ操作と同じグループであるとして、直前のタッチ操作に対応する図形とステップＴ２で描画した図形とをグループ化する。ステップＴ７の後は、ステップＴ８へ進む。
【００６０】
ステップＴ８では、ステップＴ２で描画した図形に対応するタッチ操作の後、所定時間（たとえば３秒間〜１０秒間）内に、新たなタッチ操作が行われたか否かを判断する。タッチ操作が行われればステップＴ２へ戻り、タッチ操作が行われなければステップＴ９へ進む。
【００６１】
ステップＴ９では、ステップＴ４において最後に新たなグループとされたグループ、すなわち最終グループのグループ化図形（手書き文字）について、表示サイズ算出部１３２が、表示サイズを算出する。このステップＴ９は、本発明の表示方法における表示サイズ算出ステップに対応する。ステップＴ９の後は、ステップＴ１０へ進む。
【００６２】
ステップＴ１０では、表示サイズ比較部１３４が、ステップＴ９において算出された表示サイズと、閾値設定部１３３によって予め設定されている閾値が示す表示サイズとを比較する。比較の結果は、表示サイズ比較部１３４に記憶される。ステップＴ１０の後は、ステップＴ１１へ進む。
【００６３】
ステップＴ１１では、表示変更部１３５が、表示サイズ比較部１３４に記憶されている比較結果を参照して、閾値よりも小さいと判定された表示サイズがあるか否かを判断する。閾値よりも小さいと判定された表示サイズがあればステップＴ１２へ進み、閾値よりも小さいと判定された表示サイズがなければ一連の処理が終了する。ステップＴ１２では、表示変更部１３５が、閾値よりも小さいと判定された表示サイズを有するグループ化図形（手書き文字）について、表示サイズを大きくする拡大指示を、手書き文字表示制御部１３１に出力する。手書き文字表示制御部１３１は、この拡大指示に従い、このグループ化図形（手書き文字）を拡大し、一連の処理が終了する。このステップＴ１１，Ｔ１２は、本発明の表示方法における表示変更ステップに対応する。
【００６４】
このような一連の処理によれば、ユーザが手書き文字を入力したとき、該手書き文字の表示サイズが閾値設定部１３３により設定された閾値よりも小さければ、表示変更部１３５によって、自動的に、表示サイズが拡大される。したがって、ユーザは、手書き文字が小さいか否かを判断する必要がない。よって、ユーザの恣意によらないので、見易い表示サイズで手書き文字を表示することが可能になる。
【００６５】
なお、ステップＴ１２において、表示変更部１３５は、拡大指示の代わりに、警告マークまたは警告文を表示する指示を手書き文字表示制御部１３１に出力してもよい。この場合、手書き文字表示制御部１３１によって、警告マークまたは警告文が表示されることになる。ユーザは、警告マークまたは警告文が表示された手書き文字を消去し、該手書き文字よりも大きい手書き文字を入力すればよい。これにより、見易い表示サイズで手書き文字を表示することが可能になる。特に、表示装置１が大画面の表示装置とタブレットＰＣとから構成されるシステムである場合、タブレットＰＣのような手書き文字の入力作業を行う領域（タッチ操作する画面）と、大画面に表示される文字等の大きさとは異なるので、このように自動的に表示サイズを変更することは有用である。
【００６６】
また、上記の一連の処理によれば、ステップＴ８において所定時間タッチ操作がないと判断されたときに、ステップＴ９〜ステップＴ１２の処理が行われて、手書き文字の表示サイズの拡大が行われる。すなわち、表示装置１は、手書き文字ごとに順次表示サイズの拡大を行うのではなく、複数の手書き文字からなる文章や単語について、一括して、表示サイズの拡大を行うことになる。よって、ユーザの入力中に、先に入力した手書き文字が拡大されて、ユーザの入力の妨げになる、という事態が生じるのを防ぐことができる。さらに、表示装置１によれば、このように表示サイズの変更が文章や単語ごとに行われるのに対して、表示サイズの算出や表示サイズの比較は、ステップＴ４〜ステップＴ６のように、１つのグループ、すなわち、１つの手書き文字ごとに行われる。したがって、前もって処理を行うことができるので、主制御部１３が高性能なものではなくても、表示サイズの拡大を速やかに行うことができる。
【００６７】
また、表示装置１によれば、距離記憶部１３６や人数記憶部１３７および部屋広さ記憶部１３８に記憶される情報に基づいて、表示サイズの閾値を設定および変更することが可能である。よって、表示装置１が設けられる部屋内の視聴者数の変化や視聴者の位置の変化に対応して、見易い表示サイズを変更することが可能になる。
【００６８】
図４に、ステップＴ１〜ステップＴ１２の一連の処理が行われるときの、表示装置１の画面における表示例を示す。以下では、横書きモードにおいて、ユーザが「ディスプレイ。」と手書きした場合を考える。
【００６９】
図４（ａ）に示すように、ユーザの入力後、手書き文字表示制御部１３１によって、各グループ化図形（手書き文字）の周囲に、２点鎖線で示す外接矩形が表示される。各グループ化図形（手書き文字）の表示サイズが、閾値設定部１３３により設定される閾値よりも小さい場合、各グループ化図形（手書き文字）の表示サイズが拡大されることになる。
【００７０】
図４（ｂ）は、全ての各グループ化図形（手書き文字）の表示サイズが、閾値設定部１３３により設定される閾値が示す表示サイズに拡大された状態を示している。この状態では、手書き文字表示制御部１３１によって、「ィ」や「。」も、他のグループ化図形（手書き文字）と同じ表示サイズに拡大されている。また、手書き文字表示制御部１３１は、各外接矩形が重ならないような状態で、グループ化図形（手書き文字）を整列させる。
【００７１】
また、図４に示すように、手書き文字表示制御部１３１は、各グループ化図形（手書き文字）に隣接させて、小キーＫ１と、大キーＫ２と、×キーＫ３とを表示させる。各キーＫ１〜Ｋ３は、手書き文字表示制御部１３１によって、表示サイズの拡大後一定時間表示されるものであり、大キーＫ２が反転（図４において斜線部）しているのは、各グループ化図形（手書き文字）が、閾値設定部１３３により設定される閾値が示す表示サイズに拡大されていることを示している。この各キーＫ１〜Ｋ３に関して、ユーザは、「小キーＫ１をタッチする」、「大キーＫ２をタッチする」、「×キーＫ３をタッチする」、「何もしない」という行動をとることができる。
【００７２】
ユーザが小キーＫ１をタッチした場合、閾値設定部１３３により設定される閾値の半分の表示サイズとなるように、手書き文字表示制御部１３１によって、グループ化図形（手書き文字）の表示サイズが変更される。ユーザが大キーＫ２をタッチした場合、閾値設定部１３３により設定される閾値が示す表示サイズとなるように、手書き文字表示制御部１３１によって、グループ化図形（手書き文字）の表示サイズが変更される。ユーザが×キーＫ３をタッチした場合、ユーザによる入力時の表示サイズとなるように、手書き文字表示制御部１３１によって、グループ化図形（手書き文字）の表示サイズが変更される。各キーＫ１〜Ｋ３は、タッチされたときに、手書き文字表示制御部１３１によって反転表示される。ユーザが各キーＫ１〜Ｋ３に対して何もしない状態で一定時間経過すると、手書き文字表示制御部１３１によって各キーＫ１〜Ｋ３が消去され、表示サイズの変更が不可能になる。
【００７３】
図４（ｃ）は、「デ」、「ス」、「プ」、「レ」、「イ」の手書き文字に対応する各キーＫ１〜Ｋ３に対してユーザが何も行わず、「ィ」の手書き文字に対応する小キーＫ１に対してユーザがタッチを行い、「。」の手書き文字に対応する×キーＫ３に対してユーザがタッチを行った場合の状態を示している。図４（ｃ）では、閾値設定部１３３により設定される閾値が示す表示サイズに拡大された「デ」、「ス」、「プ」、「レ」、「イ」の手書き文字と、閾値設定部１３３により設定される閾値の半分の表示サイズに拡大された「ィ」の手書き文字と、ユーザによる入力時の表示サイズの「。」の手書き文字とが、各外接矩形が重ならないような状態で、整列して表示されている。なお、図４（ｃ）では、各外接矩形を表示しているが、各キーＫ１〜Ｋ３が消去されるタイミングで、各外接矩形が消去されてもよい。
【００７４】
このように、手書き文字表示制御部１３１は、表示サイズの拡大後に、各キーＫ１〜Ｋ３を表示させて、表示サイズを変更可能なように構成される。したがって、各手書き文字を、適切な大きさに拡大させることができる。なお、「ぁぃぅぇぉっゃゅょゎ」、「ァィゥェォッャュョヮ」、「、」、「。」など、大きな文字と同じ形状の小文字である可能性がある文字についてのみ、小キーＫ１が表示されるようにしてもよい。ユーザが入力した文字がこれらの文字に該当するか否かは、従来公知の文字認識技術によって判断可能である。
【００７５】
以上のように構成される表示装置１の主制御部１３に記憶される表示プログラムは、画像を表示可能な表示部と、移動する物体の位置を、予め定める検出範囲内において検出し、該位置を示す信号を出力する検出部と、該信号が入力される制御部と、を備える表示装置の該制御部に、本発明の表示方法を実行させるプログラムである。この表示プログラムは、従来公知の、コンピュータ読み取り可能な記録媒体に記録できる。上記表示プログラムを記録媒体に記録することで、表示プログラムに基づく処理を実行するためのプログラムコード（実行形式プログラム、中間コードプログラム、ソースプログラムなど）を記録した記録媒体を持ち運び自在に提供することができる。
【００７６】
なお、記録媒体は、マイクロコンピュータが処理を行うためのメモリ、たとえばＲＯＭ(Read Only Memory)のようなプログラムメディアであってもよいし、または、コンピュータが外部記憶装置として備えるプログラム読取装置に挿入することで読み取られるプログラムメディアであってもよい。
【００７７】
記録媒体に格納されているプログラムは、マイクロプロセッサが記録媒体にアクセスして実行する方式であってもよいし、または、マイクロプロセッサが記録媒体からプログラムコードを読み出し、読み出されたプログラムコードがマイクロコンピュータのプログラム記憶エリアにダウンロードされることで、そのプログラムが実行される方式であってもよい。このダウンロード用のプログラムは予め本体装置に格納されているものとする。
【００７８】
ここで、上記プログラムメディアは、本体と分離可能に構成される記録媒体であり、磁気テープ、カセットテープなどのテープ系、フレキシブルディスク、ハードディスクなどの磁気ディスク、ＣＤ−ＲＯＭ(Compact Disc - Read Only Memory)、ＭＯ(Magneto Optical disc)、ＭＤ(Mini Disc)、ＤＶＤ(Digital Versatile Disc)などの光ディスクのディスク系、ＩＣカード（メモリカードを含む）、光カードなどのカード系、あるいはマスクＲＯＭ、ＥＰＲＯＭ(Erasable Programmable Read Only Memory)、ＥＥＰＲＯＭ（登録商標）、フラッシュＲＯＭなどによる半導体メモリを含めた固定的にプログラムコードを担持する媒体であってもよい。
【００７９】
また、コンピュータが、インターネットを含む通信ネットワークを接続可能なシステム構成であれば、記録媒体は、通信ネットワークからプログラムコードをダウンロードするように、流動的にプログラムコードを担持する媒体であってもよい。なお、このように通信ネットワークからプログラムをダウンロードする場合には、そのダウンロード用のプログラムは予め本体装置に格納しておくか、または他の記録媒体からインストールしておく。また、上記表示プログラムは、上記プログラムコードが電子的な伝送で具現化された、搬送波に埋め込まれたコンピュータデータ信号の形態でも実現され得る。
【符号の説明】
【００８０】
１  表示装置
１１  表示部
１２  検出部
１３  主制御部
１４  表示部制御部
１５  検出部制御部
１３１  手書き文字表示制御部
１３２  表示サイズ算出部
１３３  閾値設定部
１３４  表示サイズ比較部
１３５  表示変更部
１３６  距離記憶部
１３７  人数記憶部
１３８  部屋広さ記憶部
【図１】
2014081893.tif 000004
【図２】
2014081893.tif 000005
【図３】
2014081893.tif 000006
【図４】
2014081893.tif 000007